(57)【要約】【課題】  内視鏡画像を通じてバルーンの挙動を確認することができ、確実な手技を短時間で行うことができるバルーンダイレータを提供すること。【解決手段】  バルーン３は、原材料となるチューブのブロー成形により製造され、肉厚が略均一とされて拡張可能な中央部７と、肉厚が軸方向に漸次変化して構成され内圧によって弾性変形可能な傾斜部８とを備えている。  傾斜部８は、バルーン３の先端側と基端側との双方に配されているが、基端側の傾斜部８の表面には、３つの凹部（指標）１０Ａ、１０Ｂ、１０Ｃがバルーン３の中心軸Ｃ方向に順に並んで配されている。【選択図】  図３
2006239156.tif 000002
【特許請求の範囲】
【請求項１】
段階的に拡張可能なバルーンを具備して内視鏡のチャンネル先端から出没可能な先端部を備え、
該先端部の表面に、前記バルーンの挙動を知らせる指標が内視鏡画像で視認可能に配されていることを特徴とするバルーンダイレータ。
【請求項２】
前記バルーンが、略一定の肉厚で拡径する中央部と、該中央部側から前記バルーンの中心軸方向に肉厚が漸次厚く変化して構成され、内圧の変化によって弾性変形可能な傾斜部とを備え、
前記指標が、前記傾斜部の弾性変形に応じて変化することを特徴とする請求項１に記載のバルーンダイレータ。
【請求項３】
前記指標が、前記中心軸方向に並んで前記傾斜部に複数配されていることを特徴とする請求項２に記載のバルーンダイレータ。
【請求項４】
前記指標が、前記傾斜部の表面に凹部又は凸部として配されていることを特徴とする請求項２又は３に記載のバルーンダイレータ。
【請求項５】
前記指標が、前記傾斜部の表面に着色部として配されていることを特徴とする請求項２又は３に記載のバルーンダイレータ。
【請求項６】
前記指標が模様とされていることを特徴とする請求項１に記載のバルーンダイレータ。
【発明の詳細な説明】
【技術分野】
【０００１】
本発明は、生体管腔内の狭窄部又は閉塞部を拡張治療する際に使用するバルーンダイレータに関する。
【背景技術】
【０００２】
バルーンダイレータは、例えば、内視鏡と併用して、腫瘍及びその切除後の吻合処置に起因する消化管の狭窄又は閉塞部分の拡張治療等を行う手技において、生体内腔の狭窄部や閉塞部を拡張するために使用されている。
近年では、バルーンの直径を変化させる手技に際して、膨張したバルーンの外径を調節可能にある程度柔軟性を有するバルーンが使用されている（例えば、特許文献１参照。）。
【０００３】
このようなバルーンを実際に使用する際には、バルーンに供給する内圧を手元の圧力計にて確認しながら、予め用意された内圧とバルーン外径との対応表を参照してバルーン外径を推測している。
【０００４】
しかしながら、上述の対応表にて内圧から外径を把握できたとしても、狭窄によって締め付けられたバルーンの拡張径が適切であるか否かは、術者の経験に依存するため、経験の浅い術者の場合には、適切な拡張径に設定して手技を行うことが困難であり、例えば、Ｘ線透視下で狭窄の拡張状態を観察しながら手技を行うため、手技が複雑になってしまう。
【０００５】
さらに、バルーンの拡張時に狭窄部にてバルーンがスリップしてしまったときには、バルーンを適切な位置に戻して再拡張する必要があるのに対し、拡張したバルーンを内視鏡画像で観察してもすぐに位置ずれを確認するのが困難である。
【特許文献１】特許第３４９４６５４号公報
【発明の開示】
【発明が解決しようとする課題】
【０００６】
本発明は上記事情に鑑みて成されたものであり、内視鏡画像を通じてバルーンの挙動を確認することができ、確実な手技を短時間で行うことができるバルーンダイレータを提供することを目的とする。
【課題を解決するための手段】
【０００７】
本発明は、上記課題を解決するため、以下の手段を採用する。
本発明に係るバルーンダイレータは、段階的に拡張可能なバルーンを具備して内視鏡のチャンネル先端から出没可能な先端部を備え、該先端部の表面に、前記バルーンの挙動を知らせる指標が内視鏡画像で視認可能に配されていることを特徴とする。
【０００８】
このバルーンダイレータは、指標が配されているので、内視鏡のチャンネルから先端部分が突出した際、指標を内視鏡画像にて視認することができ、指標を介してバルーンの拡張や内視鏡に対する進退といった挙動を把握することができる。
【０００９】
また、本発明に係るバルーンダイレータは、前記バルーンダイレータであって、前記バルーンが、略一定の肉厚で拡径する中央部と、該中央部側から前記バルーンの中心軸方向に肉厚が漸次厚く変化して構成され、内圧の変化によって弾性変形可能な傾斜部とを備え、
前記指標が、前記傾斜部の弾性変形に応じて変化することを特徴とする。
【００１０】
このバルーンダイレータは、バルーンの中央部が拡張するのに伴って、傾斜部の中央部側から傾斜部の肉厚が漸次さらに薄くなり始め、かつ、表面積が増大し始める。従って、中央部が拡張する際、傾斜部に配する位置によって指標の変化のタイミングを相違させることができる。そして、指標が変化するときの内圧とバルーンの外径との関係を予め把握しておくことによって、指標の状態からバルーンの外径を特定することができる。
【００１１】
また、本発明に係るバルーンダイレータは、前記バルーンダイレータであって、前記指標が、前記中心軸方向に並んで前記傾斜部に複数配されていることを特徴とする。
【００１２】
このバルーンダイレータは、バルーンの拡張に応じて指標を次々に変化させることができ、指標の変化のタイミングとそのときのバルーンの外径との関係を予め把握しておくことによって、変化した指標を視認してバルーンの外径を特定することができる。
【００１３】
また、本発明に係るバルーンダイレータは、前記バルーンダイレータであって、前記指標が、前記傾斜部の表面に凹部又は凸部として配されていることを特徴とする。
このバルーンダイレータは、バルーンが拡張するのに伴って、傾斜部の中央部側から傾斜部の肉厚が漸次さらに薄くなり始め、かつ、表面積が増大する。従って、凹部又は凸部の形状が平面状に変形するため、その変化の程度からバルーンの外径を特定することができる。また、特に凹部の場合、凹部が配された部分の肉厚が周辺部分よりも薄くなるので、内圧が高い場合には周辺部分よりも径方向に突出変形しやすくなり、突出量からバルーンの外径を特定することができる。
【００１４】
また、本発明に係るバルーンダイレータは、前記バルーンダイレータであって、前記指標が、前記傾斜部の表面に着色部として配されていることを特徴とする。
このバルーンダイレータは、バルーンの拡張に伴って、かつ、表面積が増大する。その際、着色部の肉厚も薄くなり、かつ、表面積が増大するので、表面に配された着色部の色調を漸次薄い色調に変化させることができる。従って、色調と内圧との関係を予め把握することによって、着色部の色調変化の程度からバルーンの外径を特定することができる。
【００１５】
また、本発明に係るバルーンダイレータは、前記バルーンダイレータであって、前記指標が模様とされていることを特徴とする。
このバルーンダイレータは、バルーンの挙動に伴って模様の位置や状態が変化するため、模様の変化の様子を観察することによってバルーンの挙動の程度を把握することができる。
【発明の効果】
【００１６】
本発明によれば、内視鏡画像を通じてバルーンの挙動を容易に確認することができ、必要な手技を短時間で確実に行うことができる。
【発明を実施するための最良の形態】
【００１７】
本発明に係る第１の実施形態について、図１から図１０を参照して説明する。
本実施形態に係るバルーンダイレータ１は、図１に示すように、口金２Ａを端部に有して軸方向に内腔２Ｂが配されたシャフト２と、シャフト２と連通して段階的に拡張可能なバルーン３が配されて図示しない内視鏡のチャンネル先端から出没可能な先端部５とを備えている。
【００１８】
バルーン３は、図１及び図２に示すように、原材料となるチューブ３Ａのブロー成形により製造され、肉厚が略均一とされて拡径する中央部７と、中央部７側からバルーン３の中心軸Ｃ方向に肉厚が漸次厚く変化して構成され、内圧の変化によって弾性変形可能な傾斜部８と、バルーン３の通過性を向上させるために中央部７の先端に配された凸部９とを備えている。
【００１９】
傾斜部８は、バルーン３の先端側と基端側との双方に配されているが、基端側の傾斜部８の表面には、図３（ａ）に示すように、３つの凹部（指標）１０Ａ、１０Ｂ、１０Ｃがバルーン３の中心軸Ｃ方向に順に並んで配されている。
【００２０】
各凹部１０Ａ、１０Ｂ、１０Ｃは、図３（ｂ）に示すように、傾斜部８の外表面側に略同一の深さで形成されており、互いに所定の間隔を有して内視鏡画像で視認可能な大きさ、例えば、直径０．１ｍｍから０．５ｍｍ程度に形成されて配されている。なお、凹部１０Ａ、１０Ｂ、１０Ｃの底部の隅部分は、Ｒ形状よりも角形状とするほうがバルーン３の拡張に伴う凹部の形状変化をより把握しやすく好ましい。
シャフト２は、図１に示すように、バルーン３への送液、吸引を行うための管路として機能するものとされ、内腔２Ｂには、先端がバルーン３の凸部９に接続され、基端が口金２Ａに接続されて凸部９にバルーン３を押し込む力を伝達する補強ワイヤ２Ｃが挿通されている。
【００２１】
次に、本実施形態に係るバルーンダイレータ１の使用方法、及び、作用・効果について、食道狭窄に対する内視鏡的拡張術に適用した場合で説明する。
まず、図４に示すように、患者１１に対して内視鏡１２の挿入部１３を口から挿入し、図５（ａ）に示すように、食道１５の狭窄部１６を内視鏡画像１７にて確認し、図５（ｂ）に示すように、挿入部１３の先端を狭窄部１６近傍に配置する。
【００２２】
この状態で、図６及び図７に示すように、予め内視鏡１２の鉗子口１２Ａから図示しないチャンネル内に挿入されて、口金２Ａに拡張用ポンプ１９が接続されたバルーンダイレータ１をチャンネル内に挿入する。
【００２３】
そして、図８（ａ）に示すように、狭窄部１６が中央部７に位置するようにチャンネル内から先端部５を突出させる。
そして、拡張用ポンプ１９を操作して蒸留水等をゆっくり注入し、バルーン３を拡張する。この際、まず、図８（ｂ）に示すように、中央部７が最小の拡張径となるように拡張させ、狭窄部１６を適切に拡開するまでその圧力を維持する。なお、さらに蒸留水等を注入することによって、中央部７の直径を２ｍｍから４ｍｍ程度より大きく拡張することができる。
【００２４】
このとき、傾斜部８にも内圧が加わり徐々に拡張する。この際、傾斜部８の中央部７側のほうがシャフト２側よりも肉厚が薄いため、傾斜部８の中央部７側から傾斜部８の肉厚が漸次さらに薄くなり始め、かつ、表面積が増大し始める。
この際、凹部１０Ａ、１０Ｂ、１０Ｃが配される位置の傾斜部８の肉厚がそれぞれ異なっているのに対して、各凹部１０Ａ、１０Ｂ、１０Ｃの深さが略同一とされているので、図９に示すように、中央部７側に配された凹部１０Ｃから順に平面状に変形していく。即ち、バルーン３の内圧に応じて凹部１０Ａ、１０Ｂ、１０Ｃが変形する。
【００２５】
従って、図１０に示すように、予め算出されたバルーン３の内圧とバルーン３の中央部７の外径との関係に対して各凹部１０Ａ、１０Ｂ、１０Ｃが変形するときの内圧を対応させておくことによって、各凹部１０Ａ、１０Ｂ、１０Ｃが変形した際のバルーン３の内圧と、そのときのバルーン３の外径とを特定することができる。
こうして、図１１に示すように、バルーン３にて狭窄部１６を拡開した状態で拡張術を終了する。
【００２６】
このバルーンダイレータ１によれば、凹部１０Ａ、１０Ｂ、１０Ｃの変化を内視鏡画像によって視認することによって、バルーン３の拡張時の外径及びそのときの内圧との両方を術者が知ることができる。従って、Ｘ線透視によらなくても内視鏡の画像を通して手技を確実に、かつ、短時間で行うことができる。
【００２７】
次に、第２の実施形態について図１２を参照しながら説明する。
なお、上述した第１の実施形態と同様の構成要素には同一符号を付すとともに説明を省略する。
第２の実施形態と第１の実施形態との異なる点は、本実施形態に係るバルーンダイレータ２０のバルーン２１に係る傾斜部２２の外表面側ではなく内表面側に凹部１０Ａ、１０Ｂ、１０Ｃが配されているとした点である（凹部１０Ｂ、１０Ｃは図１２には図示せず。）。
【００２８】
このバルーンダイレータ２０のバルーン２１を拡張させた際、第１の実施形態と同様に、凹部１０Ａ、１０Ｂ、１０Ｃの形状が変形して平面状になる。このとき、凹部１０Ａ、１０Ｂ、１０Ｃの肉厚が他の傾斜部２２の部分よりも薄肉であるために、さらに内圧を高めた場合には、径方向外方に突出する凸状部２３が形成される。
【００２９】
この際、凹部１０Ａ、１０Ｂ、１０Ｃが配される位置の傾斜部２２の肉厚がそれぞれ異なっているので、中央部７側に配された凹部１０Ａ、１０Ｂ、１０Ｃから順に変形していく。即ち、それぞれ異なるバルーン２１の内圧にて凹部１０Ａ、１０Ｂ、１０Ｃがそれぞれ凸状部２３に変形する。
【００３０】
このバルーンダイレータ２０によれば、第１の実施形態と同様に、凹部１０Ａ、１０Ｂ、１０Ｃの内視鏡画像からバルーン２１の外径及びそのときの内圧を特定することができる。
この際、バルーン２１の拡張に伴って凹部１０Ａ、１０Ｂ、１０Ｃが凸状部２３に変化するので、第１の実施形態の場合よりも凹部１０Ａ、１０Ｂ、１０Ｃの変化の程度を内視鏡にてより容易に視認することができ、バルーン２１の外径及び内圧を確認する際の誤差を抑えることができる。
【００３１】
次に、第３の実施形態について図１３を参照しながら説明する。
なお、上述した他の実施形態と同様の構成要素には同一符号を付すとともに説明を省略する。
第３の実施形態と上記各実施形態と異なる点は、本実施形態に係るバルーンダイレータ３０のバルーン３１に係る傾斜部３２に、短いほうの対角線が中心軸Ｃ方向に沿うようにひし形の模様（指標）３３Ａ、３３Ｂ、３３Ｃが配されているとした点である。
各模様３３Ａ、３３Ｂ、３３Ｃは略同一形状とされて、例えば、印刷によって表面に配されている。
【００３２】
このバルーンダイレータ３０のバルーン３１を拡張させた際、上述した他の実施形態と同様に、傾斜部３２の中央部７側のほうが、シャフト２側よりも肉厚が薄いため、傾斜部３２の中央部７側からシャフト２側に向かって漸次傾斜部３２の肉厚がさらに薄くなり始め、かつ、表面積が増大し始める。
【００３３】
この際、バルーン３１の特性上、中心軸Ｃ方向の伸びのほうが、それに直交する方向の伸びよりも大きく、かつ、内視鏡には一般に広角レンズが配されるために中心軸Ｃ方向の変化を大きく捉えやすい。従って、バルーン３１の拡張に伴い、模様模様３３Ｃ、３３Ｂ、３３Ａの順にひし形から正方形に変化する。
【００３４】
このバルーンダイレータ３０によれば、模様３３Ａ、３３Ｂ、３３Ｃの変化を内視鏡画像によって視認することによって、上記他の実施形態と同様にバルーン３１の外径及びそのときの内圧を特定することができる。
【００３５】
次に、第４の実施形態について図１４を参照しながら説明する。
なお、上述した他の実施形態と同様の構成要素には同一符号を付すとともに説明を省略する。
第４の実施形態と第１の実施形態と異なる点は、本実施形態に係るバルーンダイレータ４０のバルーン４１に係る傾斜部４２に、中心軸Ｃ方向に複数の着色部（指標）４５Ａ、４５Ｂ、４５Ｃが配されているとした点である。
着色部４５Ａ、４５Ｂ、４５Ｃの大きさは、例えば、直径０．１ｍｍから０．５ｍｍ程度に略同一形状に形成され、同一の青色が着色されている。なお、着色部４５Ａ、４５Ｂ、４５Ｃの色調は、紫色や黒色のように体腔内にて内視鏡画像のハレーションが発生し難い色調であれば構わない。
【００３６】
このバルーンダイレータ４０のバルーン４１を拡張させた際、上述した他の実施形態と同様に、傾斜部４２の軸方向に肉厚の薄い中央部７側から漸次肉厚が薄くなり、かつ、表面積が増大する。この際、着色部４５Ａ、４５Ｂ、４５Ｃの色調が濃い色調から薄い色調へと変化する。
【００３７】
従って、このバルーンダイレータ４０によれば、上述した第１の実施形態等における凹部の場合と同様、着色部４５Ａ、４５Ｂ、４５Ｃの色調の変化をバルーン４１の内圧と外径とに対応付けすることによって、着色部４５Ａ、４５Ｂ、４５Ｃの色調変化を内視鏡画像にて視認した際、上記他の実施形態と同様に、色調変化時のバルーン４１の内圧と外径とを把握することができる。
【００３８】
次に、第５の実施形態について図１５を参照しながら説明する。
なお、上述した他の実施形態と同様の構成要素には同一符号を付すとともに説明を省略する。
第５の実施形態と上記他の実施形態と異なる点は、図１５（ａ）に示すように、本実施形態に係るバルーンダイレータ５０のバルーン５１に係る傾斜部５２に、中心軸Ｃ方向に延びる螺旋状模様（指標）５３が配されているとした点である。
【００３９】
螺旋状模様５３の螺旋ピッチは、バルーン５１の拡張に伴って傾斜部５２の表面積が増大するにつれて、内視鏡画像にて螺旋状模様５３が移動するのを確認できる程度の間隔とされ、かつ、それ以上の速さで先端部５５全体が中心軸Ｃ方向に移動した場合には、内視鏡画像にて螺旋状模様５３が確認できなくなる程度の間隔にされている。
【００４０】
このバルーンダイレータ５０のバルーン５１を拡張する際、内視鏡画像では、螺旋状模様５３が手元側にゆっくり移動する状態を視認することができる。
一方、バルーン５１を拡張させる途中で狭窄部等との間でバルーン５１が滑って位置ずれした場合、バルーン５１が拡張する場合よりも速い速度で先端部５５が中心軸Ｃ方向に移動する。この場合、螺旋状模様５３の移動が速いので内視鏡画像では螺旋状模様５３を視認することができない。
【００４１】
従って、このバルーンダイレータ５０によれば、術者は螺旋状模様５３の移動を視認できる場合には、バルーン５１が所定の位置で拡張していることを認識でき、螺旋状模様５３の移動を視認できない場合には、バルーン５１が位置ずれしていることを認識することができる。
従って、完全にバルーン５１がスリップする前にバルーン５１の拡張を止めて位置決めをやり直すことができ、手技を短時間に行うことができる。
【００４２】
なお、本発明の技術範囲は上記実施の形態に限定されるものではなく、本発明の趣旨を逸脱しない範囲において種々の変更を加えることが可能である。
例えば、上記第１の実施形態では、バルーン３の傾斜部８に凹部１０Ａ、１０Ｂ、１０Ｃが配されているとしているが、凹部の代わりに傾斜部の外表面側に凸部を配しても構わない。
【００４３】
この場合、バルーンの拡張に伴い、肉厚の薄い傾斜部の中央部側から漸次凸部の肉厚が薄くなり、かつ、表面積が増大する。従って、凹部と同様に凸部の形状が平面状に変形する。従って、凸部を複数配することによって、凸部が変化する際のバルーン内圧とそのときの外径との関係から、凸部の視認によってバルーンの状態を把握することができる。
【００４４】
また、上記第５の実施形態では、螺旋状模様５３がバルーン５１の傾斜部５２に配されているとしているが、図１５（ｂ）に示すように、螺旋状模様５３が、先端部６０が有するシャフト２との接続部６１の側面に配されているバルーンダイレータ６２としても構わない。
この場合、バルーン６３が拡張する際には傾斜部６５は拡張しても接続部６１は拡張しないため、螺旋状模様５３も何ら変化しない。従って、バルーン６３全体がスリップして移動する際と単にバルーン６３が拡張する際との違いをより明確にすることができ、バルーン６３の位置ずれの有無の判別を容易に行うことができる。
【００４５】
さらに、模様としては、ひし形に限らず、円形のものや線状のものでも構わない。
また、螺旋状模様５３に限らず、水玉模様や市松模様のように変化が一定の模様であれば同様の作用・効果を奏することができる。
【図面の簡単な説明】
【００４６】
【図１】本発明の第１の実施形態に係るバルーンダイレータを示す平面図である。
【図２】本発明の第１の実施形態に係るバルーンダイレータの先端部を成形する状態を示す説明図である。
【図３】本発明の第１の実施形態に係るバルーンダイレータを示す（ａ）要部拡大図（ｂ）（ａ）の断面図である。
【図４】本発明の第１の実施形態に係るバルーンダイレータの使用方法を示す説明図であり、内視鏡を体腔内に挿入する図である。
【図５】本発明の第１の実施形態に係るバルーンダイレータの使用方法を示す説明図であり、（ａ）狭窄部の内視鏡画像、（ｂ）狭窄部近傍の内視鏡を示す図である。
【図６】本発明の第１の実施形態に係るバルーンダイレータの使用方法を示す説明図であり、内視鏡を介してバルーンダイレータを体腔内に挿入する状態を示す図である。
【図７】本発明の第１の実施形態に係るバルーンダイレータの使用方法を示す説明図であり、ガイドワイヤを狭窄部まで挿通した状態を示す図である。
【図８】本発明の第１の実施形態に係るバルーンダイレータの使用方法を示す説明図であり、（ａ）バルーンの先端部を狭窄部に位置決めした状態、（ｂ）バルーンを拡張して狭窄部を押圧する状態及びさらに拡張する状態を示す図である。
【図９】本発明の第１の実施形態に係るバルーンダイレータの使用方法を示す説明図であり、バルーンを加圧した際の凹部の変形する様子を示す図である。
【図１０】本発明の第１の実施形態に係るバルーンダイレータの各凹部が変形する際の内圧とそのときのバルーン外径との関係を示すグラフである。
【図１１】本発明の第１の実施形態に係るバルーンダイレータの使用方法を示す説明図であり、狭窄部でバルーンを拡張した状態を示す図である。
【図１２】本発明の第２の実施形態に係るバルーンダイレータの要部の拡張前と拡張後とを対比した断面図である。
【図１３】本発明の第３の実施形態に係るバルーンダイレータを示す斜視図である。
【図１４】本発明の第４の実施形態に係るバルーンダイレータを示す斜視図である。
【図１５】本発明の（ａ）第５の実施形態に係るバルーンダイレータの要部を示す斜視図、（ｂ）他の実施形態に係るバルーンダイレータの要部を示す斜視図である。
【符号の説明】
【００４７】
１、２０、３０、４０、５０、６２  バルーンダイレータ
３、２１、３１、４１、５１、６３  バルーン
５、５５、６０  先端部
７  中央部
８、２２、３２、４２、５２、６５  傾斜部
１０Ａ、１０Ｂ、１０Ｃ  凹部（指標）
１２  内視鏡
１７  内視鏡画像
３３Ａ、３３Ｂ、３３Ｃ  模様（指標）
４３Ａ、４３Ｂ、４３Ｃ  着色部（指標）
５３  螺旋状模様（指標）
【図１】
2006239156.tif 000003
【図２】
2006239156.tif 000004
【図３】
2006239156.tif 000005
【図４】
2006239156.tif 000006
【図５】
2006239156.tif 000007
【図６】
2006239156.tif 000008
【図７】
2006239156.tif 000009
【図８】
2006239156.tif 000010
【図９】
2006239156.tif 000011
【図１０】
2006239156.tif 000012
【図１１】
2006239156.tif 000013
【図１２】
2006239156.tif 000014
【図１３】
2006239156.tif 000015
【図１４】
2006239156.tif 000016
【図１５】
2006239156.tif 000017